(57)【要約】【課題】適度な勢いの噴流を、広範囲に噴出することが可能な噴出ノズルを提供すること。【解決手段】浴槽１００の内部に湯水を噴出する噴出ノズル１であって、湯水を供給する供給口１２を有する供給部１０と、浴槽１００の内壁に取り付けられるとともに供給口１２に接続され、複数の噴出口２２が形成された吐水面２１を有する吐水面部２０と、を備える噴出ノズル１である。吐水面２１は、略平面状であり、その径が供給口１２の径よりも大きい。【選択図】図３
2017074303.tif 000002
【特許請求の範囲】
【請求項１】
浴槽の内部に湯水を噴出する噴出ノズルであって、
湯水を供給する供給口を有する供給部と、
前記浴槽の内壁に取り付けられるとともに前記供給部に接続され、複数の噴出口が形成された吐水面を有する吐水面部と、を備える噴出ノズル。
【請求項２】
前記吐水面は、略平面状である請求項１に記載の噴出ノズル。
【請求項３】
前記吐水面は、その面積が前記供給口の面積よりも大きい請求項１又は２に記載の噴出ノズル。
【発明の詳細な説明】
【技術分野】
【０００１】
本発明は、噴出ノズルに関する。
【背景技術】
【０００２】
従来、湯水又は湯水と空気を混合した流体に所定圧力をかけて浴槽内へ噴出させ、この噴流を入浴する者の背中に当てて入浴効果を高める噴流浴が知られている。浴槽内に噴流を噴出させるため、ノズルの吐水面部に一つ配置された噴流口に向けて所定の圧力をかけ、浴槽内へ噴流を供給するノズルが提案されている（例えば、特許文献１参照）。
【先行技術文献】
【特許文献】
【０００３】
【特許文献１】特開２００１−８９９８号公報
【発明の概要】
【発明が解決しようとする課題】
【０００４】
しかしながら、ノズルの吐水面部に一つ配置された噴出口から、所定の圧力をかけて湯水等を噴出させると、ノズルから出る水流の勢いが強く、噴流の面積が狭くなっていた。このため、入浴者によっては、噴流が当たる部分に刺激や、痒みを感じる場合があり、長時間噴流を当ててリラックスすることが難しいという問題があった。このため、噴流が当たった際に、柔らかく包み込まれるような感触を得られる噴流を噴出することのできるノズルが望まれている。
【０００５】
また、特許文献１のような、一つの噴出口から噴流を噴射するノズルは、入浴者の背中が位置する浴槽の壁面に、互いに離間させて一対配置することが多い。しかし、一対のノズルを離間させて配置させると、噴流を当てたい腰等がノズルの位置に対応せず、噴流の効果が得にくい場合があった。
【０００６】
本発明は、適度な勢いの噴流を、広範囲に噴出することが可能な噴出ノズルを提供すること目的とする。
【課題を解決するための手段】
【０００７】
上記目的を達成するため本発明は、浴槽（例えば、後述の浴槽１００）の内部に湯水を噴出する噴出ノズル（例えば、後述の噴出ノズル１）であって、湯水を供給する供給口（例えば、後述の供給口１２）を有する供給部（例えば、後述の供給部１０）と、前記浴槽の内壁に取り付けられるとともに前記供給部に接続され、複数の噴出口（例えば、後述の噴出口２２）が形成された吐水面（例えば、後述の吐水面２１）を有する吐水面部（例えば、後述の吐水面部２０）と、を備える噴出ノズルを提供する。
【０００８】
また、前記吐水面は、略平面状であることが好ましい。
【０００９】
また、前記吐水面は、その面積が前記供給口の面積よりも大きいことが好ましい。
【発明の効果】
【００１０】
本発明によれば、適度な勢いの噴流を、広範囲に噴出することが可能な噴出ノズルを提供することができる。
【図面の簡単な説明】
【００１１】
【図１】本実施形態のノズルが設けられる浴槽を示す図であり、（ａ）図は、平面図であり、（ｂ）図は側面図である。
【図２】本実施形態のノズルを示す斜視図である。
【図３】本実施形態のノズル及び浴槽の断面模式図である。
【図４】他の実施形態に係るノズルを示す正面図である。
【発明を実施するための形態】
【００１２】
以下、本発明の一実施形態について、図面を参照しながら詳しく説明する。
図１（ａ）は、本実施形態に係るノズル１が設けられる浴槽１００の平面図であり、図１（ｂ）は、浴槽１００の側面図である。
【００１３】
図１（ａ）に示すように、浴槽１００は、上部が開口した略長方体であり、一対の向かい合う長壁１０１、１０２と、一対の向かい合う短壁１０３、１０４と、底面部１０５と、を有し、これらにより湯水を入れる凹部が形成されている。
また、浴槽１００は、吐水口１０７と、吸水口１０８と、排水口１０６と、を有する。
吐水口１０７は、一対の短壁１０３、１０４のうち、入浴者の背中が寄りかかることが想定される短壁（例えば短壁１０３）側に、一つ配置される。吐水口１０７は、底面部１０５から所定の高さ離間した位置で、短壁１０３の幅方向の略中央部付近に一つ配置される。吸水口１０８は、長壁１０２に配置される。排水口１０６は、底面部１０５配置される。
【００１４】
図１（ｂ）に示すように、本実施形態では、浴槽１００に湯水を供給する供給管２０１が吐水口１０７に接続され、浴槽１００から湯水を吸水する吸水管２０２が吸水口１０８に接続されている。供給管２０１及び吸水管２０２はそれぞれポンプ２００に接続されて、ポンプ２００により浴槽１００に湯水を循環させるようになっている。
【００１５】
以上の浴槽１００には、以下に説明する噴出ノズル１（以下単にノズルとも言う）が、吐水口１０７に取り付けられる。
図２は、本実施形態に係るノズル１の斜視図である。図３は、ノズル１が浴槽１００に取り付けられた状態の断面模式図である。図２及び図３に示すように、ノズル１は、薄く平たい平面視で円形の形状を有し、供給部１０と、吐水面部２０と、により構成される。ノズル１は、継手２０４やパッキン２０３を介して吐水口１０７に取り付けられている。
【００１６】
図３に示すように、供給部１０は、背面部１１と、供給口１２と、管部１４と、本体側側壁部１３と、を有する。供給部１０は、樹脂製である。
背面部１１は、浴槽の短壁１０３に接する部分である。
供給口１２は、背面部１１の中央部に配置された開口である。供給口１２は、供給管２０１から浴槽１００へ湯水を供給する。
管部１４は、供給口１２から外側へ突出して形成される。管部１４は、浴槽１００の吐水口１０７に挿入されて、背面部１１から外側へ延びる。管部１４には、供給管２０１が取り付けられている。
本体側側壁部１３は、背面部１１の周縁から、管部１４の突出する方向と反対の浴槽１００の内部方向へ起立し、ノズル１の厚さ方向に延びる側面を形成する。
【００１７】
吐水面部２０は、浴槽１００の内壁に取り付けられる。吐水面部２０は、扁平な形状を有し、供給部１０を覆うように供給部１０に取り付けられている。吐水面部２０は、吐水面２１と、噴出口２２と、吐水面側側壁部２３と、を有し、供給部１０に接続されている。
吐水面２１は、吐水面部２０の主な部分を構成し、平面視円形で、略平面状である。吐水面２１は、その面積が供給口１２の面積よりも大きい。また、吐水面２１の外縁は、供給口の外縁よりも外側に配置されており、本実施形態では、吐水面２１の外径は、供給口１２の外径よりも大きい。吐水面２１は、浴槽１００の内壁面に沿うように配置される。
噴出口２２は、吐水面２１に形成される複数の小さな貫通穴である。噴出口２２は、吐水面２１全体に互いに間隔を開けて配置される。
吐水面側側壁部２３は、吐水面２１の周縁から、供給部１０側へ向かって起立し、ノズル１の厚さ方向に延びる側面を形成する。吐水面側側壁部２３は、本体側側壁部１３と係合している。
【００１８】
次に、本実施形態のノズル１を介して噴流が浴槽１００に供給される状態を説明する。
入浴者が、噴流浴を行うためのスイッチ（図示せず）を押すことで、ポンプ２００が作動する。ポンプ２００により、浴槽１００内部の湯水が吸水口１０８から吸水管２０２を流通して吸水され、ポンプ２００に接続された供給管２０１から供給部１０へ送られる。湯水は、圧力を加えられた状態で、供給部１０の管部１４及び供給口１２へ流入する。
【００１９】
供給部１０に流入した湯水は、供給部１０の内部に広がり、吐水面２１に形成された小さな多数の噴出口２２から浴槽１００の内部へ噴出される。吐水面２１の直径が、供給口１２の直径よりも大きいため、供給口１２にかけられた圧力が吐水面２１の面積全体に分散し、噴出口２２からは勢いの柔らかな水流が多数噴出される。
【００２０】
本実施形態によれば、以下の効果が奏される。
本実施形態では、浴槽１００の内部に湯水を噴出する噴出ノズル１を、湯水を供給する供給口１２を有する供給部１０と、浴槽１００の内壁に取り付けられるとともに供給部１０に接続され、複数の噴出口２２が形成された吐水面２１を有する吐水面部２０と、を含んで構成した。
【００２１】
本実施形態によれば、ノズル１の供給部１０から供給される湯水が、供給部１０に接続された吐水面部２０の複数の噴出口２２から、細い水流に分散されて噴出される。また、複数の噴出口２２が吐水面２１に形成されているので、吐水面２１を大きくすることが可能になり、湯水をより広範囲に噴出することができる。したがって、適度な勢いの湯水を、入浴者に対して面状に広範囲に当てることができ、噴流浴の効果が向上する。
【００２２】
本実施形態によれば、吐水面２１を略平面状に形成した。これにより、吐水面２１が浴槽１００内に突出することを回避でき、噴流を入浴者に均一に当てることが容易になる。さらに、入浴者が吐水面２１に寄りかかること等が可能になり、噴流を入浴者に当てやすくなる。また、吐水面２１が浴槽の内壁面に沿うため、浴槽の美観も向上する。
【００２３】
本実施形態によれば、吐水面２１の面積を、供給口１２の面積よりも大きく構成した。これにより、供給管２０１を流通し供給口１２まで流れてきた湯水が、ノズル１を介して浴槽１００に流入する際に、湯水にかけられる水圧が分散されて低減される。このため、より柔らかで快適な水流を浴槽１００に提供しやすくなり、適度に加圧された水流を、広範囲に噴出することができる。
【００２４】
なお、本発明は上記実施形態に限定されるものではなく、本発明の目的を達成できる範囲での変形、改良等は本発明に含まれる。
図４は、他の実施形態に係るノズル１Ａの正面図である。上記の実施形態では、吐水面２１の全面に噴出口２２が配置されていたが、これに限られない。吐水面２１Ａが一つであれば、噴出口２２Ａは、図４のように、吐水面２１Ａの一方と他方で、複数の噴出口２２Ａの群に分かれて配置されていてもよい。このような構成によれば、勢いの緩やかな水流を、複数の位置から流出させることができる。
【００２５】
また、上記実施形態では、吐水面２１は略円形の形状を有しているが、これに限られない。吐水面２１は、供給口１２よりも面積が大きければ所望の形状に形成されてよく、意匠的な効果を奏するような形状であってもよい。
【００２６】
また、噴出口の構成については、多様な実施形態があってよい。
例えば、広い面積を有する吐水面部を介して湯水を供給する際、供給口に近く、水が強く流れやすい中央部の噴出口の径を小さくし、周縁部の噴出口の径を大きく構成することで、吐水面から流出する湯水の勢いが均一になるように調整してもよい。
また、噴流は、入浴者の腰の近傍に当たることで、高いリラックス効果が得られる。そこで、吐水面の上方側の噴出口の径を大きく構成し、下方側の噴出口の径を小さく構成することで、噴流が腰に当たりやすくなるように調整してもよい。
また、噴出口の位置によって、噴出口の開口面積を調整できるように構成してもよい。
【００２７】
また、供給部に、吐水面の裏側から噴出口へ挿通するよう突設された流路を形成し、この流路から噴出口を介して浴槽に湯水が供給されるように構成してもよい。流路によって水流が噴出口のそれぞれに案内されるため、噴流をより均一に噴出させることができる。
【００２８】
また、上記の実施形態では、浴槽１００は、吸水口１０８と、吐水口１０７とを有しているが、これに限られない。ノズルの側面に吸水穴を設け、ノズル単体で、湯水の供給と吸水の両方を行うように構成してもよい。
【００２９】
また、上記の実施形態では、湯水には空気が混合されず、湯水のみ浴槽に供給されている。しかし、これに限られず、湯水に空気が混合されてもよい。
【符号の説明】
【００３０】
１    噴出ノズル
１０  供給部
１２  供給口
２０  吐水面部
２１  吐水面
２２  噴出口
１００  浴槽
【図１】
2017074303.tif 000003
【図２】
2017074303.tif 000004
【図３】
2017074303.tif 000005
【図４】
2017074303.tif 000006